(57)【要約】【課題】  環境雰囲気を異質化するという新しい考え方を採用し、設置および収去に便利な学習され難い害鳥忌避用具を提供する。【解決手段】  独立して設置可能な支持部材１３と、支持部材１３に植設する複数本の細線条１４…と、支持部材１３に植設した複数本の細線条１４…の先端部に取り付けるセラミックスボール１５…からなる。このセラミックスボール１５…はマイナスイオン放射性を有し、また、細線条１４…は高弾性材料から細線材として形成されている。害鳥忌避用具１０は、独立した支持部材１３によって簡単に設置することができ、細線条１４…に取り付けられたセラミックスボール１５…は、、自然風を受けて揺らぎ動作をしながらマイナスイオンを放射し、周辺の環境雰囲気をマイナスイオン化することによって、利口で警戒心が強く、環境雰囲気に鋭敏な感覚を有するカラス等の警戒心を煽る。【選択図】  図１
2006115756.tif 000002
【特許請求の範囲】
【請求項１】
独立して設置可能な支持部材と、支持部材に植設する複数本の細線条と、支持部材に植設した複数本の細線条のそれぞれの先端部に取り付けるセラミックスボールとからなり、
前記セラミックスボールはマイナスイオン放射性を有し、前記細線条は高弾性材料から細線材として形成され、前記複数のセラミックスボールは、自然風を受けて前記細線条をばね要素として揺らぎ動作することを特徴とする害鳥忌避用具。
【請求項２】
前記セラミックスボールが、シリカを高温焼成してなる微粉末を球形に成形してなる珪素系のセラミックスボールであることを特徴とする請求項１に記載の害鳥忌避用具。
【請求項３】
前記複数本の細線条は、互いに異なる長さに寸法設定され、前記複数のセラミックスボールは、自然風を受けて互いに衝突することなく前記細線条を介して揺らぎ動作することを特徴とする請求項１または請求項２に記載の害鳥忌避用具。
【請求項４】
前記支持部材が、地盤に差込み可能な杭状部材であることを特徴とする請求項１ないし請求項３のいずれか１項に記載の害鳥忌避用具。
【請求項５】
前記支持部材が、地盤上に自立可能なベース付きのポール部材であることを特徴とする請求項１ないし請求項３のいずれか１項に記載の害鳥忌避用具。
【請求項６】
前記支持部材が、マグネットとヨークとからなるマグネットキャッチであり、該マグネットキャッチのヨークにパイプ状部材を受け入れる凹型部を形成することを特徴とする請求項１ないし請求項３のいずれか１項に記載の害鳥忌避用具。
【発明の詳細な説明】
【技術分野】
【０００１】
本発明は、自然風によって特異な揺らぎ動作をしながら周囲にマイナスイオンを放散することによって、視覚的な嚇し効果とマイナスイオンを含む異質雰囲気による警戒心高揚効果との相乗効果によって、カラス等の害鳥の飛来を忌避するようにした害鳥忌避用具に関する。
【背景技術】
【０００２】
カラスを主たる忌避対象とする様々な防鳥用具が考案され、市場に提供されている。文献に著わされているものとしては、例えば、次のようなものがある。
【特許文献１】特開２００２−８４９６０号公報
【特許文献２】特開２００４−６５２３３号公報
【特許文献３】特開２００４−１８７６８１号公報
【０００３】
従来の防鳥用具においてカラス等の害鳥を忌避するために採用されている考え方は、例えば、防鳥糸や防鳥ネットのようにカラス等を実力的に阻止しようとする考え方に基づくもの（特許文献１参照）と、太陽光線の反射光によってカラス等を嚇そうとする考え方に基づくもの（特許文献２，特許文献３参照）と、不可解な形態と動きによってカラス等の警戒心を煽ろうとするもの（特許文献２，特許文献３参照）との３種類に大別することができる。ただし、１種類の考え方のみで構成されている防鳥用具は、まれであって、実際の製品には、２種類以上の考え方が併用されているのが実情である。
【０００４】
その他、特殊なものとしては、銃砲の発射音に似せた暴爆音を定期的に発することによってカラス等を嚇すようにした大規模な防鳥装置や、見せしめ効果を企図したカラスの擬似死体があり、長閑な里山地帯では、古典的な案山子もいまだに見受けられる。
【発明の開示】
【発明が解決しようとする課題】
【０００５】
上記した従来の防鳥用具は、それぞれ、一長一短を伴なって普及し、カラス等と知恵比べをしながら進化し、次々と新しい製品も提供されている。しかし、次々と提供される新製品も、上記いずれかの考え方に基づいて考案されていることから、無害であることが早晩カラス等に学習され、害鳥忌避効果を奏しなくなるという問題がある。そこで、また態様の異なる新製品が登場することとなるのである。
【０００６】
ただし、カラス等を実力で阻止しようとする防鳥用具は、その性質上害鳥忌避効果を長期間持続し得るが、使用上および設置上の問題も多い。例えば、田畑を取り囲むように防鳥糸を張り巡らせると、害鳥を忌避することができる反面において、農作物の世話が困難となる犠牲を伴う。観賞魚を飼育する公園の池を防鳥ネットで覆った例では、景観の犠牲を伴う。カラスの擬似死体は、実体的に良くできた製品においては比較的大きな効果を持続するが、気味が悪い等の理由で周辺住人のひんしゅくを買った例がある。
【０００７】
また、従来の防鳥用具は、設置に過分の下準備作業を要するとともに、そのことに起因して簡単に収去することもできないため、設置場所の変更の必要性に対応することが困難であるという問題があった。また、この欠点により、一旦設置した防鳥用具は、特定箇所に恒常的に設置されたまま放置されることとなり、カラス等に学習の機会を十分に与えてしまうために、害鳥忌避効果を奏さなくなるまでの期間が短いという問題があった。
【０００８】
本発明は、鳥類が種の属性として、環境雰囲気に極めて鋭敏な感覚を有することに着目し、カラス等の害鳥を忌避しようとする場所付近の空気雰囲気をマイナスイオン化するという従来見られない考え方を基本的に採用するとともに、設置および収去の容易性に格別の配慮をし、カラス等に学習され難く、しかも、外観的にいかなる場所に設置しても美観を損なわない害鳥忌避用具を提供することを目的とする。
【課題を解決するための手段】
【０００９】
この目的を達成するための手段として、本発明は、次のような構成を採用する。
【００１０】
本発明の請求項１に記載の害鳥忌避用具は、独立して設置可能な支持部材と、支持部材に植設する複数本の細線条と、支持部材に植設した複数本の細線条のそれぞれの先端部に取り付けるセラミックスボールとからなり、このセラミックスボールはマイナスイオン放射性を有するとともに、細線条は高弾性材料から細線材として形成され、複数のセラミックスボールは、自然風を受けて細線条をばね要素として揺らぎ動作することを特徴とする。
【００１１】
上記構成に係る害鳥忌避用具は、支持部材を介して他の設置部材を要することなく設置することができる。害鳥忌避用具の全体外形は、支持部材からセラミックスボール付きの複数の細線条が植立した例えば、玉付きの井草のような外観となる。このような外観は、従来の防鳥用具に比較すれば、そのままフラワーアレンジメント用具として使用できるような愛らしい面もあり、設置場所の美観を損ねないという特徴がある。細線条は高弾性材料からなり、このため良く撓ることができる。複数の細線条は、その長さに応じてセラミックスボールと共振系を構成し、自然風を受けて揺らぎ動作をする。このような動きは、従来の防鳥用具には、見られない新鮮さを有し、カラス等の警戒心を高揚させることができる。揺らぎ動作中のセラミックスボールは、空気を攪拌するようにしながらマイナスイオンを放出し、周囲の雰囲気を継続的に異質化する。カラス等は、異質な雰囲気を特異な能力で感じ取り、この周囲を避けるように行動する。
【００１２】
本発明の請求項２に記載の害鳥忌避用具は、セラミックスボールが、シリカを高温焼成してなる微粉末を球形に成形してなる珪素系のセラミックスボールであることを特徴とする。
【００１３】
粉末焼結組成物であるセラミックスは、原料粉末の種類によってそれぞれ異なる物性を示す。珪素系のセラミックスは、各種のセラミックスのなかでもマイナスイオンの放射性能に優れていることが知られている。すなわち、珪素系のセラミックスをセラミックスボールとして使用することによって、周囲の雰囲気を継続的に異質化するという本発明の目的の一部が最もよく実現される。
【００１４】
本発明の請求項３に記載の害鳥忌避用具は、複数本の細線条が互いに異なる長さに寸法設定され、細線条に取り付ける複数のセラミックスボールが自然風を受けて互いに衝突することなく揺らぎ動作することを特徴とする。
【００１５】
粉末焼結組成物であるセラミックスは、硬質である反面において衝撃に脆弱であるという性質がある。したがって、細線条に取り付けられたセラミックスボールが揺らぎ動作をする際に互いに衝突し合って割れてしまうおそれがある。セラミックスの衝撃脆性は、適当な添加物を配合することによって改善することは可能であるが、その分マイナスイオンの放射能力が低下するという問題が生じる。マイナスイオンは、自然界においても非定量的に存在し、本発明においては、自然のマイナスイオン雰囲気と明確に区別できる程度のマイナスイオン放射線能力を必要とすることから、セラミックスボールのマイナスイオン放射性能を低下させたくないという要求がある。上記構成は、マイナスイオン放射性能を低下させることなく、経時使用におけるセラミックスボール相互の衝突破壊を回避することができる。
【００１６】
本発明の請求項４に記載の害鳥忌避用具は、細線条の支持部材が、地盤に差込み可能な杭状部材であることを特徴とする。
【００１７】
杭状の支持部材を有する防鳥用具は、田畑その他の未舗装地盤に簡単に設置し、かつ、収去も容易である。
【００１８】
本発明の請求項５に記載の害鳥忌避用具は、細線条の支持部材が、地盤上に自立可能なベース付きのポール部材であることを特徴とする。
【００１９】
支持部材として、自立可能なポール部材を採用することにより、生ゴミ収集日等において収集場所付近に立設しておくことによって、カラスによるゴミの散乱被害を阻止することができる。また、ゴミの収集作業終了後は、カラスの目に付かない場所に収納することによって、カラスに学習されるのを防止することができるので、長期間有効に利用することができる。
【００２０】
本発明の請求項６に記載の害鳥忌避用具は、細線条の支持部材がマグネットとヨークとからなるマグネットキャッチであり、このマグネットキャッチのヨークにパイプ状部材を受け入れる凹型部を形成することを特徴とする。
【００２１】
本発明の請求項５に記載の害鳥忌避用具は、支持部材が、マグネットとヨークとからなるマグネットキャッチであり、マグネットキャッチのヨークにパイプ状部材を受け入れる凹型部を形成することを特徴とする。
【００２２】
上記構成に係る害鳥忌避用具は、鉄製のフェンス等の磁性金属部材のある箇所に設置する際の設置の容易さと、収去の容易さを顧慮したものであり、例えば、建物屋上のパラペットに設置されたフェンスやネットの金属パイプ製の骨部材、その他の金属部材にマグネットの吸着力を利用して極めて簡単に設置することができる。また、収去も容易である。
【発明の効果】
【００２３】
本発明に係る害鳥忌避用具は、マイナスイオン放射製を有するセラミックスボールが細線条をばね要素として電源とうを要することなく不可解な揺らぎ動作をすることができるとともに、セラミックスボールが揺らぎ動作を伴ないながらマイナスイオンを放散し、周辺雰囲気を人に害を及ぼすことなく異質化することができるので、揺らぎ動作と異質環境雰囲気との相乗的効果によって環境雰囲気に鋭敏な感覚を有するカラス等の警戒心を煽ってカラス等を忌避することができる上、支持部材が独立設置性を有するので、設置および収去も容易であるという効果を奏する。
【発明を実施するための最良の形態】
【００２４】
以下、図面を引用しながら本発明に係る害鳥忌避用具の実施の形態を説明する。
【００２５】
害鳥忌避用具１０は、支持部材１３と、複数本の細線条１４…と、各細線条１４に取り付ける少なくとも１個以上のセラミックスボール１５とからなる（図１）。
【００２６】
支持部材１３は、支持部材１３を含む害鳥忌避用具１０を他部材に依存することなく独立して設置可能とすることを目的とする。また、この際には、収去の容易性も同時に満たすことが条件となる。本実施の形態における、支持部材１３は、木製、樹脂製もしくは金属製の杭状部材１１と、複数本の細線条１４…の一端を集合させて一体化する末端ブロック１２とからなる。
【００２７】
杭状部材１１の先端部は、先細りに形成されて地盤に直接差し込むことができる。杭状部材１１の長さは任意であるが、害鳥忌避用具１０の設置高さを決定する部材であることから、カラス等から保護しようとする保護対象の大きさとの関係で定めることができる。通常は、０．０５メートルないし１．５メートルの範囲が適当である。また、杭状部材１１の太さは、長さに応じて強度を確保できる範囲に定めれば足りる。
【００２８】
末端ブロック１２の材質には、硬質ゴム、樹脂もしくはその発泡化材料が適する。木質でもよいが、木質材料は型込め成形することができないので、コスト高となりがちである。本実施の形態における末端ブロック１２は、発泡化樹脂材料を球形に成形したものである。球形には、必然性はなく、デザイン上の理由に基づく。なお、末端ブロック１２と杭状部材１１とは、末端ブロック１２に嵌め込み穴を穿ち、杭状部材１１の上端部を樹脂用接着剤を併用して無理嵌めする手段によって一体化されている。
【００２９】
複数の細線条１４…は、いずれも高弾性材料から細線状に成形されている。細線条１４としては、市販されているグラスファイバ線材、カーボングラファイト線材、ピアノ線、硬質ナイロン線材を利用することができる。本実施の形態の細線条１４…は、互いに異なる長さに切断されたグラスファイバ線材からなり、発泡樹脂材料からなる末端ブロック１２にその一端を突き刺すことによって、末端ブロック１２に植設した状態で取り付けられている。なお、末端ブロック１２に用いる材料と細線条１４に用いる材料との関係によっては、末端ブロック１２に下穴を穿設し、接着剤を用いて細線条１４を植設するものとする。
【００３０】
各セラミックスボール１５…は、デザイン上の観点から球形に形成され、各細線条１４について、その先端に少なくとも１個取り付けられている。各セラミックスボール１５は、シリカを高温焼成してなる微粉末を球形に成形してななる珪素系のセラミックスボール１５であり、この種のセラミックスは、公知の如く高いマイナスイオン放射性を有する。各セラミックスボール１５には、細線条１４を挿通するための透孔が設けられ、この透孔に細線条１４を挿通して接着剤を利用して固定されている。
【００３１】
なお、セラミックスボール１５は、十分なマイナスイオン放射能を有する限り、純粋なセラミックスのみである必要はなく、シリカの微粉末を適当なバインダの存在下において型込め成形し、または造粒成形することによって任意形状に成形すれば足りる。ただし、セラミックスボール１５の重さは、これを支持するばね要素としての細線条１４に適合する必要がある。
【００３２】
すなわち、本発明の害鳥忌避用具１０は、自然風を受けて揺らぎ動作をすることが一つのポイントである。細線条１４の長さを一定とした場合においては、セラミックスボール１５の重量が大きくするに従って揺らぎ動作の周期が長くなり、また、セラミックスボール１５の重量を一定とした場合においては、細線条１４の長さを長くするに従って揺らぎ動作の周期が長くなる関係にある。一本の細線条１４に複数のセラミックスボール１５を取り付ける場合には、複数のセラミックスボール１５を近接して取り付けてもよく、離して取り付けてもよい。なお、複数の細線条１４…の長さを異なるように設定しているのは、揺らぎ動作の際してセラミックスボール１５…が互いに衝突しないようにするためであり、各セラミックスボール１５が成形に際して用いるバインダとの関係で十分な耐衝撃性を有する場合には、複数の細線条１５…を同じ長さに設定することもできる。
【００３３】
この実施の形態に係る害鳥忌避用具１０は、畑地５０の農作物をカラス等から保護する用途に使用することができる（図２）。畑地５０には、例えば、複数の作業通路５２間に盛り土をした畝５１…が形成され、同図の中央位置の畝５１にカラス等が好んで食べる種が蒔かれたものとする。カラス等は、新しく耕された場所に種が蒔かれていることを経験的に学習しており、何らの手当てをしない場合には、人影を気にすることもなく種をついばんでしまう結果となる。
【００３４】
このような場合、本発明の害鳥忌避用具１０…を畝５１の周囲に適当な間隔を保って設置することにより、種を保護することができる。各害鳥忌避用具１０の設置は、支持部材１３の杭状部材１１を地面に差し込む極めて簡単な作業で足りるため、畝５１当たり１０分程度の作業時間で終了することができる。設置された害鳥忌避用具１０…は、風を受けて揺らぎ動作をしながらマイナスイオンを放散する。カラス等は、この異様な光景と雰囲気とにより畝５１に接近することができないという仕組みである。害鳥忌避用具１０…は、種が発芽し、カラス等の被害に遭わない形態に変化した時点で収去することによって、カラス等に学習の機会を与えないようにすることができる。したがって、害鳥忌避用具１０は、害鳥忌避効果を喪失することなく繰り返して使用することができる。害鳥忌避用具１０の収去作業は、設置作業より一層容易である。
【００３５】
本発明に係る害鳥忌避用具１０における支持部材１３は、地盤上に自立可能なベース付きのポール部材１６形態とすることができる（図３）。
【００３６】
ポール部材１６は、金属または樹脂製のパイプ部材からなるポール１６Ａと、ポール部材１６Ａの下端に取り付けるベース１６Ｂと、ポール１６Ａの上端の開口に装填する末端ブロック１２とからなり、害鳥忌避用具１０は、ポール１６Ａ上端の末端ブロック１２にセラミックスボール１５…付きの細線条１４…を植設した形態をとる。なお、ベース１６Ｂは、金属板を逆皿形にプレス加工した表面板の裏面側に錘を固定した構造であり、舗装または非舗装の地盤上において、ポール１６Ａを直立姿勢で安定に支持することができる。
【００３７】
この形態の害鳥忌避用具１０は、自立し得ることに特徴があり、設置場所まで移動させることにより事実上設置作業が終了する。したがって、頻繁な設置と収去を必要とする用途、例えば、生ゴミ収集場所に収集日にのみ設置するような用途に好適である。
【００３８】
本発明に係る害鳥忌避用具１０における支持部材１３は、マグネットキャッチ１７とすることができる（図４）。
【００３９】
支持部材１３であるマグネットキャッチ１７は、マグネット１７Ａと、マグネット１７Ａの磁気を特定方向に集中させるヨーク１７Ｂを備え、ヨーク１７Ｂには、パイプ状部材を受け入れる凹型部１７Ｄが形成されている。また、ヨーク１７Ｂには、末端ブロック１２を保持した保持部材１２Ｂが固定されている。そして、害鳥忌避用具１０は、セラミックスボール１５…を取り付けた細線条１４…を末端ブロック１２に植設して形成されている。なお、セラミックスボール１５には、球形のものの他、長球形の形状のものが採用されている。デザイン的配慮であるとともに、少数個のセラミックスボール１５…で必要量のマイナスイオンの放射量を確保せんとする趣旨である。
【００４０】
この形態の害鳥忌避用具１０は、支持部材１３であるマグネットキャッチ１７のヨーク１７Ｂに設けた凹型部１７Ｄを利用することによって、例えば、土地を囲繞するパイプ柵Ｆの横桟パイプＦ１や竪桟パイプＦ２に簡単に吸着設置することができる。また、カラス等の立ち寄り場所となっている屋上パラペット部分の落下防止柵に設置することも害鳥忌避上、極めて有効である。なお、落下防止柵がパイプ製でない場合であっても、害鳥忌避用具１０は、ヨーク１７Ｂの凹型部１７Ｄ以外の部分で姿勢を維持することができるのであり、金網フェンスのアングル骨部材等に対しても適合することができる。
【００４１】
以上の説明において、害鳥忌避用具１０の彩色に付いて触れていないが、これは本発明の害鳥忌避用具１０がカラス等を忌避するメカニズムは、採用する色調に依拠しないためである。したがって、特に色彩を付与する場合は、設置場所の環境条件等を考慮して似合った色を採用することができる。また、今後の研究に伴い、カラス等が嫌う特定の色調が判明した場合においては、当然その色調を採用することもできる。
【図面の簡単な説明】
【００４２】
【図１】本発明の害鳥忌避用具の実施の形態を示す全体斜視図である。
【図２】本発明の害鳥忌避用具の使用状態を示す斜視図である。
【図３】本発明の害鳥忌避用具の他の実施の形態を示す全体斜視図である。
【図４】本発明の害鳥忌避用具の他の実施の形態を示す全体斜視図である。
【符号の説明】
【００４３】
１０      害鳥忌避用具
１１      杭状部材
１３      支持部材
１４      細線条
１５      セラミックスボール
１６      支持部材としてのポール部材
１７      支持部材としてのマグネットキャッチ
【図１】
2006115756.tif 000003
【図２】
2006115756.tif 000004
【図３】
2006115756.tif 000005
【図４】
2006115756.tif 000006